(57)【要約】【課題】ユーザが意図せずに簡単に外れてしまう可能性を低減した装身具用留め具を提供する。【解決手段】装身具用留め具は、第１基体の第１接合面と第２基体の第２接合面とが合わされた状態において、第１係合部と第２係合部とが係合し、かつ第１磁石の磁極面と第２磁石の磁極面のとの間で互いに極性の異なる領域同士が合わさることにより第１本体と第２本体とが互いに留められるように構成されている。【選択図】図３
2013102948.tif 000002
【特許請求の範囲】
【請求項１】
第１接合面を有する第１基体と、複数の領域を有しかつ隣接する前記領域の極性が異なる磁極面が露出するように前記第１基体の第１接合面に埋設された第１磁石とを含む前記第１本体と、
第２接合面を有する第２基体と、複数の領域を有しかつ隣接する前記領域の極性が異なる磁極面が露出するように前記第２基体の第２接合面に埋設された第２磁石とを含む第２本体と、
前記第１基体の第１接合面および前記第１磁石の磁極面の少なくともいずれかに形成された第１係合部と、
前記第２基体の第２接合面および前記第２磁石の磁極面の少なくともいずれかに形成された第２係合部とを備え、
前記第１基体の第１接合面と前記第２基体の第２接合面とが合わされた状態において、前記第１係合部と前記第２係合部とが係合し、かつ前記第１磁石の磁極面と第２磁石の磁極面のとの間で互いに極性の異なる領域同士が合わさることにより第１本体と第２本体とが互いに留められるように構成されている、装身具用留め具。
【請求項２】
前記第１本体は装身具に連結するための第１連結部をさらに有し、
前記第２本体は前記装身具に連結するための第２連結部をさらに有し、
前記第１連結部および前記第２連結部は前記第１基体の第１接合面の延長線上及び前記第２基体の第２接合面の延長線上にそれぞれ配置される、請求項１記載の装身具用留め具。
【請求項３】
前記第１係合部は前記第１磁石の磁極面から突き出る突出部を含み、
前記第２係合部は前記第１磁石の磁極面から窪む窪み部を含み、
前記第１基体の第１接合面と前記第２基体の第２接合面とが合わされた状態において、前記第１連結部と前記第２連結部とに作用する引っ張り力は、前記第１接合面または前記第２接合面に対して平行であって、前記突出部の突き出る方向および前記窪み部の窪む方向に対して垂直である、請求項２に記載の装身具用留め具。
【請求項４】
前記第１基体の密度は前記第１磁石の密度より小さく、前記第２基体の密度は前記第２磁石の密度より小さい、請求項１ないし３のいずれか一項に記載の装身具用留め具。
【発明の詳細な説明】
【技術分野】
【０００１】
本発明は、装身具用留め具に関し、特に、磁石を用いた装身具用留め具に関する。
【背景技術】
【０００２】
従来、磁石の磁力により着脱する装身具用留め具が知られている。たとえば、磁石製留め金具は第１および第２磁石を有し、第１および第２磁石のそれぞれは、Ｎ極、Ｓ極が平面的に交互に現れるように着磁されている。留め具が付けられる場合には、互いの極が異なるように、第１および第２磁石が近づけられると、第１磁石と第２磁石とが互いに引き付けられる磁力で接合される。一方、留め具が外される場合には、第１および第２磁石が互いに平行にずらされることにより、互いの極が同じになり、第１磁石および第２磁石が反発力で離れる（例えば特許文献１参照）。
【先行技術文献】
【特許文献】
【０００３】
【特許文献１】特開２０１０−２３３７０１号公報
【発明の概要】
【発明が解決しようとする課題】
【０００４】
ところで、上記従来の装身具用留め具では、第１磁石および第２磁石に対して接合面に平行な力が作用すると、第１磁石および第２磁石が互いにずれる。この場合、第１および第２磁石にはＮ極およびＳ極が交互に現れるため、第１磁石および第２磁石の反発力が加わり、容易に留め具が外れてしまう。つまり、留め具が不本意に外れてしまう可能性がある。
【０００５】
本発明はこのような課題を解決するためになされたものであり、ユーザが意図せずに簡単に外れてしまう可能性を低減した装身具用留め具を提供することを目的としている。
【課題を解決するための手段】
【０００６】
本発明のある形態に係る、装身具用留め具は、第１接合面を有する第１基体と、複数の領域を有しかつ隣接する前記領域の極性が異なる磁極面が露出するように前記第１基体の第１接合面に埋設された第１磁石とを含む前記第１本体と、第２接合面を有する第２基体と、複数の領域を有しかつ隣接する前記領域の極性が異なる磁極面が露出するように前記第２基体の第２接合面に埋設された第２磁石とを含む第２本体と、前記第１基体の第１接合面および前記第１磁石の磁極面の少なくともいずれかに形成された第１係合部と、前記第２基体の第２接合面および前記第２磁石の磁極面の少なくともいずれかに形成された第２係合部とを備える。ここで、前記第１基体の第１接合面と前記第２基体の第２接合面とが合わされた状態において、前記第１係合部と前記第２係合部とが係合し、かつ前記第１磁石の磁極面と第２磁石の磁極面のとの間で互いに極性の異なる領域同士が合わさることにより第１本体と第２本体とが互いに留められるように構成されている。
【０００７】
この構成によれば、第１本体と第２本体とが近づけられると、第１磁石および第２磁石に互いに引き付けあう磁力が発生する。この磁力により第１本体および第２本体が接合され、装身具用留め具が留められる。一方、これらの磁石は、複数の領域を有し、隣接する領域の極は異なる。このことから、これらの磁石が接合面に対して平行な方向にずらされると、対向する極が一致し、磁石の反発力で第１本体と第２本体とがそれぞれ離れる。このように、一対の本体を近づけたり、ずらしたりすることにより、装身具用留め具が簡単に脱着される。
【０００８】
また、接合面に平行な方向に引っ張る力が第１本体および第２本体に作用しても、第１係合部が第２係合部に係合するため、装身具用留め具が不用意に外れてしまう可能性が低減される。
【０００９】
装身具用留め具は、前記第１本体は装身具に連結するための第１連結部をさらに有し、
前記第２本体は前記装身具に連結するための第２連結部をさらに有し、前記第１連結部および前記第２連結部は前記第１基体の第１接合面の延長線上及び前記第２基体の第２接合面の延長線上にそれぞれ配置されてもよい。
【００１０】
第１および第２連結部は接合面の延長線上に配置される。これにより、ユーザは第１および第２連結部を持って接合面に平行な方向に動かすと、第１磁石と第２磁石とを簡単にずらすことができる。
【００１１】
また、接合された第１および第２本体において第１連結部と第２連結部とに互いに引っ張る力が作用すると、第１本体または第２本体が正面に現れる。このように、接合面が正面に位置しないことによって、装身具用留め具は装飾用として美観に優れる。
【００１２】
装身具用留め具は、前記第１係合部は前記第１磁石の磁極面から突き出る突出部を含み、前記第２係合部は前記第１磁石の磁極面から窪む窪み部を含み、前記第１基体の第１接合面と前記第２基体の第２接合面とが合わされた状態において、前記第１連結部と前記第２連結部とに作用する引っ張り力は、前記第１接合面または前記第２接合面に対して平行であって、前記突出部の突き出る方向および前記窪み部の窪む方向に対して垂直であってもよい。
【００１３】
このような構成によれば、突出部および窪み部は接合面に平行な全方向（３６０度の全範囲の方向）において掛かり合う。このため、第１本体と第２本体とが接合された状態において、第１連結部と第２連結部とに互いに引っ張る力が働いても、突出部および窪み部により第１本体および第２本体は不用意にはずれない。
【００１４】
一方、突出部および窪み部を中心、第１本体に対して第２本体を回転させたり滑らせたりすることができる。このため、第１本体と第２本体とを互いにずらして、装身具用留め具を簡単にはずすことができる。
【００１５】
装身具用留め具は、前記第１基体の密度は前記第１磁石の密度より小さく、前記第２基体の密度は前記第２磁石の密度より小さくてもよい。
【００１６】
このような構成によれば、基体は密度が小さいことから、基体のサイズが大きくしても、基体の重量を装身具用として適した値に抑えることができる。よって、ユーザは大型の基体を掴んだり動かしたりして、留め具が脱着し易い。
【発明の効果】
【００１７】
本発明は、以上に説明した構成を有し、ユーザが意図せずに簡単に外れてしまう可能性を低減した装身具用留め具を提供することができるという効果を奏する。
【図面の簡単な説明】
【００１８】
【図１】本発明の実施形態に係る装身具用留め具の斜視図である。
【図２】装身具用留め具の断面図である。
【図３】磁石の極を説明するための模式図である。
【図４】装身具用留め具を用いたネックレスを示す模式図である。
【図５】装身具用留め具の着脱を説明するための模式図である
【図６】（ａ）および(ｂ)は、本発明の実施形態に係る別の装身具用留め具の図である。
【図７】（ａ）および(ｂ)は、本発明の実施形態に係るさらに別の装身具用留め具の図である。
【図８】（ａ）〜（ｃ）は、本発明の別の実施形態に係る装身具用留め具およびこれを用いたネックレスを示す図である。
【発明を実施するための形態】
【００１９】
以下、本発明の実施の形態を、図面を参照しながら説明する。
【００２０】
なお、以下では全ての図面を通じて同一又は相当する要素には同一の参照符号を付して、その重複する説明を省略する。
【００２１】
（実施形態１）
図１は、装身具用留め具１００の斜視図である。図２は、装身具用留め具１００の断面図である。図３は、第１および第２磁石１２、２２の極を説明するための模式図である。
【００２２】
装身具用留め具（以下、「留め具」と言う。）１００は、第１本体１および第２本体２を備える。
【００２３】
第１本体１は、第１接合面１０ａを有する第１基体１０と、複数の領域を有しかつ隣接する領域の極性が異なる磁極面が露出するように第１基体１０の第１接合面１０ａに埋設された第１磁石１２と、装身具に連結するための第１連結部３０を有する。
【００２４】
第２本体２は、第２接合面２０ａを有する第２基体２０と、複数の領域を有しかつ隣接する領域の極性が異なる磁極面が露出するように第２基体２０の第２接合面２０ａに埋設された第２磁石２２と、装身具に連結するための第２連結部３０を有する。
【００２５】
第１および第２基体１０、２０は、第１および第２磁石１２、２２の密度より小さな密度で形成される。たとえば、密度の小さい材料を用いることにより、第１および第２基体１０、２０の密度が小さくされる。密度が小さい材料としては、木材、樹脂、ガラス、セラミック、貝殻、サンゴ、などの非金属、ならびにマグネシウム、チタン、アルミニウムなどの金属が挙げられる。また、密度の大きな材料であっても、中を空洞にすることにより、第１および第２基体１０、２０の密度が小さくされる。
【００２６】
第１および第２基体１０、２０は半球形状で形成され、互いが接合する面（以下、単に「接合面」と言う。）１０ａ、２０ａは円形状である。第１および第２基体１０、２０の直径は、たとえば、１６ｍｍに設定される。なお、接合面において、第１基体１０と第２基体２０とが完全に固定されているわけではなく、付き合わされており、離れることも可能である。
【００２７】
第１および第２基体１０、２０はそれぞれ凹部１１、２１を有する。凹部１１、２１は、後述する第１および第２磁石１２、２２が収まる形状を有する。凹部１１、２１は第１および第２接合面１０ａ、２０ａに開口し、開口部は六角形状に形成される。
【００２８】
第１および第２磁石１２、２２には、ネオジウム磁石、フェライト磁石、サマリウムコバルト磁石、アルニコ磁石などが用いられる。磁石１２、２２の種類は限定されてないが、磁気特性、機械的強度およびコストの観点から、ネオジウム磁石が好ましい。第１および第２磁石１２、２２の表面は、ニッケルメッキ処理などが施されている。
【００２９】
各磁石１２、２２は、凹部１１、２１に収容され、接着剤などにより各基体１０、２０に固定される。各磁石１２、２２は、断面が六角形状の平板に形成される。たとえば、各磁石１２、２２の長い部分は１１ｍｍに、短い部分は９ｍｍに、厚みは２ｍｍに設定される。
【００３０】
第１磁石１２は、六角形状面の中心に円柱状の突起１３を有する。六角形状面は、突起１３を点対称として複数の領域に区分されており、隣接する領域の極が異なる。この場合、六角形状面は、突起１３を中心に２つの領域に区分され、一方の領域がＳ極であって、他方の領域がＮ極である。第１磁石１２が第１基体１０の凹部１１に嵌められると、六角形状面は第１接合面１０ａと平らになり、突起１３は凹部１１、２１の開口から突き出る。
【００３１】
第２磁石２２は、六角形状面の中心に円柱状の穴２３を有する。突起１３および穴２３を除いて、第２磁石２２は第１磁石１２と同様である。このため、六角形状面は、穴２３を中心に２つの領域に区分され、一方の領域がＳ極であって、他方の領域がＮ極である。穴２３は、突起１３が収まる大きさであれば、第２磁石２２を突き抜けていてもいなくてもよい。第２磁石２２が第２基体２０の凹部２１に嵌められると、六角形状面は第２接合面２０ａと平らになり、穴２３は第２接合面２０ａにおいて開いている。
【００３２】
第１連結部３０および第２連結部３０は、第１基体１０の第１接合面１０ａの延長線上及び第２基体２０の第２接合面２０ａの延長線上にそれぞれ配置される。
【００３３】
各連結部３０は、貫通孔３１を含む環状部３２と、環状部３２を第１および第２基体１０、２０のそれぞれに固定する固定部３３を有する。環状部３２および固定部３３は、たとえば、シルバーなどの貴金属やマグネシウム、チタン、ステンレスなどの金属により一体的に形成されている。
【００３４】
環状部３２は、細い弓形の形状を有する平板であり、たとえば、高さが６ｍｍに、幅が４ｍｍに設定される。環状部３２の内曲線は、第１および第２基体１０、２０の直径と同じ、たとえば、１６ｍｍの円弧である。貫通孔３１は、環状部３２の中央に設けられ、環状部３２を厚み方向に貫通する。
【００３５】
固定部３３は、先が尖った棒状であって、その長さは、たとえば７ｍｍに設定される。固定部３３は、環状部３２の端の近傍に設けられ、環状部３２の内曲面から内方へ突き出る。
【００３６】
この連結部３０は、固定部３３が各基体１０、２０に挿入されることにより、環状部３２は、第１および第２接合面１０ａ、２０ａに対して垂直に設けられ、固定部３３から各接合面１０ａ、２０ａの先に延びる。環状部３２の内曲面は各基体１０、２０に沿い、環状部３２は各基体１０、２０に固定される。このとき、貫通孔３１が各接合面１０ａ、２０ａの延長線上に位置し、固定部３３は各接合面１０ａ、２０ａおよび各磁石１２、２２の六角形状面に平行になるように、固定部３３は基体１０、２０に挿入される。これにより、固定部３３の挿入位置は各接合面１０ａ、２０ａから、たとえば３ｍｍの深さであるため、厚みが２ｍｍの磁石１２、２２より深い位置に固定部３３は配される。なお、固定部３３に接着剤が塗布されてから、固定部３３が基体１０、２０に挿入されてもよい。これにより、固定部３３および基体１０、２０の間に接着剤が介在するため、連結部３０は各基体１０、２０により強力に固着される。
【００３７】
また、第１および第２磁石１２、２２の向かい合う極が異なるときに、相対するよう連結部３０が各基体１０、２０に取り付けられる。すなわち、図３に示すように、２つの連結部３０は、基体１０、２０の両端にそれぞれ設けられ、直線状に並ぶ。このとき、各磁石１２、２２は２つの領域を有し、各領域の極が異なるため、第１磁石１２のＮ極の領域が第２磁石２２のＳ極の領域に対応し、第１磁石１２のＳ極の領域が第２磁石２２のＮ極の領域に対応する。
【００３８】
図４は、留め具１００を用いたネックレスを示す模式図である。
【００３９】
このような留め具１００は、装身具に取り付けられる。装身具としては、たとえば、ネックレス、ブレスレット、ベルト、鞄などが挙げられる。具体的には、図３に示すように、多数の真珠が通されたひもの先を連結部３０に結び付けると、留め具１００はネックレスの留め具として利用される。
【００４０】
図５は、留め具１００の着脱を説明するための模式図である。
【００４１】
図３および図５に示すように、ネックレスが取り付けられる際には、ユーザは、２つの連結部３０を摘まんで相対させ、第１接合面１０ａと第２接合面２０ａとを向かい合わせる。このとき、各磁石１２、２２の向かい合う領域の極が異なることにより、各基体１０、２０は磁石１２、２２の引き付けあう力により連結される。
【００４２】
一方、ネックレスが外される際には、ユーザは、図５に示す矢印の方向に、一方の連結部３０を回転させると、各磁石１２、２２は突起１３および凹部１１、２１中心に回る。これにより、各磁石１２、２２の一部の領域では対向する極が同じになるため、各基体１０、２０は磁石１２、２２の反発力により離れる。
【００４３】
以上のような構成によれば、第１および第２磁石１２、２２の接合する面が２つの領域に分かれ、各領域の極が異なることにより、磁石１２、２２の引き付ける力で簡単に留め具１００が取り付けられる。しかも、突起１３および窪みが各磁石１２、２２の中央に設けられることにより、これを中心に磁石１２、２２が弱い力で回転される上、磁石１２、２２の反発力で簡単に留め具１００が外される。
【００４４】
さらに、第１本体１と第２本体２とが結合されている状態では、突起１３が穴２３に嵌ることにより、ユーザの意に反して第１および第２基体１０、２０に引き離す方向の力が作用しても、留め具１００が外れにくい。
【００４５】
また、留め具１００が外される際、突起１３および穴２３を中心に回転する力が基体１０、２０に作用しても、六角形状の凹部１１、２１の角に六角形状の磁石１２、２２の角が引っ掛かる。このため、基体１０、２０と共に磁石１２、２２が確実に回る。
【００４６】
さらに、各基体１０、２０の密度が各磁石１２、２２の密度より小さいため、装身具用として制限された重量にも関わらず、基体１０、２０のサイズを大きくすることができる。よって、ネックレスなど留め具１００を直接見えない場合でも、ユーザは手先の感覚で留め具１００の位置を確認することが可能である。
【００４７】
しかも、基体１０、２０の表面積が大きいことから、基体１０、２０の表面に装飾を施すことも可能である。特に、非金属は金属に比べて塗料が付きやすいため、装飾は基体１０、２０の地の色に影響されず、色鮮やかで繊細な模様などが可能となるとなり、美観がさらに向上される。
【００４８】
さらに、各基体１０、２０に各連結部３０が取り付けられている。このため、ユーザは連結部３０を使って、各本体１、２を近づけたり、回転させたりすることができ、留め具１００の脱着が容易である。
【００４９】
また、連結部３０の貫通孔３１は、各接合面１０ａ、２０ａの延長線上に配され、それぞれ相対する。よって、貫通孔３１に取り付けられたひもによって連結部３０に引っ張る力が作用しても、基体１０、２０はねじれないため、留め具１００の美観が損なわれることもない。
【００５０】
さらに、固定部３３が磁石１２、２２より深い位置に挿入されることにより、磁石１２、２２の位置に関わらず、固定部３３を長くすることができる。これにより、より強力に連結部３０が固定具に固定されるため、連結部３０が取れてしまう不具合が生じにくい。
【００５１】
なお、上記実施形態では、第１磁石１２の中心に突起１３が設けられ、第２磁石２２の中心に穴２３が設けられた。ただし、突起１３および穴２３が各磁石１２、２２の接合面に設けられ、突起１３が穴２３に係合されれば突起１３および穴２３の位置は各磁石１２、２２の中心に限定されない。たとえば、突起１３および穴２３が各磁石１２、２２の接合面の端に設けられてもよい。
【００５２】
また、上記実施形態では、第１磁石１２に突起１３が設けられ、第２磁石２２に穴２３が設けられたが、突起１３および穴２３が各磁石１２、２２に設けられなくてもよい。この場合、第１磁石１２および第２磁石２２は同じ形状を有することにより、各磁石１２、２２の金型を用意する必要がなく、製造コストが削減される。
【００５３】
さらに、上記実施形態では、第１磁石１２に突起１３が第１係合部として設けられ、第２磁石２２に穴２３が第２係合部として設けられたが、この第１係合部および第２係合部の形状は突起１３および穴２３に限定されない。つまり、第１係合部が突き出る突出部を含み、第２係合部が窪む窪み部を含めばよい。また、接合された第１本体１および第２本体２において第１連結部３０と第２連結部３０とに作用する引っ張り力が、接合面に対して平行であって、突出部の突き出る方向および窪み部の窪む方向に対して垂直であればよい。
【００５４】
たとえば、図６（ａ）および図６（ｂ）に示すように、第２磁石２２に穴２３の代わりに溝２４が設けられる。溝２４は、極が異なる複数の領域に延びる。このため、図６（ｂ）に示すように、突起１３が溝２４に嵌まって移動すると、第１および第２磁石１２、２２の向かい合う極が異なる。これにより、第１および第２磁石１２、２２の反発力で、第１本体１と第２本体２とが離れ、留め具１００が簡単に離れる。
【００５５】
別の例では、図７（ａ）および図７（ｂ）に示すように、第１磁石１４に第１係合部として段差１４ｂが設けられ、第２磁石２５に第２係合部として段差２５ｂが設けられる。この段差１４ｂは、第１磁石１４の厚みが薄い部分１４ａから厚い部分１４ｃへ見れば、突き出る突出部である。反対に、第１磁石１４の厚みが厚い部分１４ｃから薄い部分１４ａへ見れば、段差１４ｂは窪む窪み部である。第２磁石２５の段差２５ｂも第１磁石１４の段差１４ｂと同様である。なお、第１磁石１４の段差１４ｂに応じた段差が、第１接合面１０ａにも形成される。また、第２磁石２５の段差２５ｂに応じた段差が、第２接合面２０ａにも形成される。
【００５６】
この第１連結部３０と第２連結部３０とに互いに引っ張る力が働いても、段差１４ｂと段差２５ｂとが引っ掛かる。このため、第１本体１と第２本体２とがずれないことにより、留め具１００が容易に外れない。一方、段差１４ｂ、２５ｂと、第１および第２基体１０、２０の段差に沿って、図７（ｂ）の矢印に示す方向に、第１本体１と第２本体２とが移動する。これにより、第１磁石１２と第２磁石２２との向かい合う領域の極が同じになるため、反発する磁力で第１本体１と第２本体２とが離れ、留め具１００が簡単に外れる。
【００５７】
さらに、上記実施形態では、突起１３などの第１係合部が第１磁石１２の磁極面に設けられ、穴２３などの第２係合部が第２磁石２２の磁極面に設けられた。しかし、第１および第２係合部の位置は第１および第２磁石１２、２２の磁極面に限らない。第１係合部は、第１基体１０の第１接合面１０ａおよび第１磁石１２の磁極面の少なくともいずれかに形成されたらよい。また、第２係合部は、第２基体２０の第２接合面２０ａおよび第２磁石２２の磁極面の少なくともいずれかに形成されたらよい。また、第１基体１０の第１接合面１０ａと第２基体２０の第２接合面２０ａとが合わされた状態において、第１係合部と第２係合部とが係合し、かつ第１磁石１２の磁極面と第２磁石２２の磁極面のとの間で互いに極性の異なる領域同士が合わさることにより第１本体１と第２本体２とが互いに留められるように構成されていればよい。
【００５８】
また、上記実施形態では、各基体１０、２０が半球形状に形成されたが、各基体１０、２０の形状はこれに限定されない。たとえば、図８（ａ）〜（ｃ）に示すように、第１および第２基体１０、２０が円盤状に形成される。なお、図６（ａ）は真珠のネックレス４０およびブレスレット５０が組み合わされたＹ字状のネックレスである。図６（ｂ）は留め具１００のＡ−Ａにおける断面図である。図６（ｃ）はブレスレット５０の第１基体１０のＢ−Ｂにおける断面図である。
【００５９】
ネックレス４０およびブレスレット５０の各接合面１０ａ、２０ａと、各接合面１０ａ、２０ａと平行に設けられた表面を備える。各接合面１０ａ、２０ａおよび表面はそれぞれ円形の形状を有する。このような円盤状の各基体１０、２０において、磁石１２、２２が配置されている範囲では表面から凹部１１、２１までの厚みが薄くなる。よって、各基体１０、２０の表面側においても磁石１２、２２の磁力が及ぶため、一方基体１０、２０の表面が他方基体１０、２０の接合面１０ａ、２０ａに磁力で引き付けられる。各基体１０、２０の接合面１０ａ、２０ａどうしが磁力で付くだけでなく、一方基体１０、２０の接合面１０ａ、２０ａと他方基体１０、２０の表面とが付く。
【００６０】
たとえば、留め具１００を有する真珠のネックレス４０およびブレスレット５０がＹ字状のネックレスにアレンジされる。具体的には、図８（ａ）および（ｂ）に示すように、ネックレス４０の第１接合面１０ａと第２接合面２０ａとが向かい合うように、第１本体１と第２本体２とが重ねられ、ネックレス４０の留め具１００が留められる。このとき、第１連結部３０と第２連結部３０とが相対するため、一連のネックレス４０が形成される。このネックレス４０の第２基体２０の表面とブレスレット５０の第２接合面２０ａとが向かい合うと、ネックレス４０の第２磁石２２とブレスレット５０の第１磁石１２とが磁力で引き付け合う。これにより、ブレスレット５０の第１基体１０がネックレス４０の留め具１００に接続される。よって、ネックレス４０の第１基体１０、ネックレス４０の第２基体２０、およびブレスレット５０の第２基体２０が厚み方向にこの順で積層される。この時、ネックレス４０の第１連結部３０と、ネックレス４０の第２連結部３０と、ブレスレット５０の第２連結部３０とがＴ字状になるように配置される。このため、ブレスレット５０がネックレス４０の留め具１００から垂れ下がったＹ字状のネックレスが形成される。また、ブレスレット５０の第１接合面１０ａが体を向くようにすると、第１基体１０の表面が外側に現れる。
【００６１】
このように、各接合面１０ａ、２０ａ同士を重ねるだけでなく、基体１０、２０の表面と基体１０、２０の接合面１０ａ、２０ａとを重ね合わせることにより、装身具がアレンジされ、美観がさらに向上する。
【００６２】
さらに、上記実施形態では、第１基体１０と第２基体２０とが同じ形状であったが、これらが異なっていてもよい。
【００６３】
また、上記実施形態では、磁石１２、２２が六角形状で形成されたが、磁石１２、２２の形状はこれに限定されず、磁石１２、２２が六角形以外の多角形や円形などであってもよい。
【００６４】
さらに、上記実施形態では、磁石１２、２２は２つの領域に分けられていたが、領域の数は、２つ以上であれば、これに限定されない。また、突起１３および穴２３を点対称に領域が分けられたが、領域の分布は、これに限定されず、平行などに設けられてもよい。
【００６５】
また、
上記実施形態では、連結部３０の環状部３２は弓形状の平板で形成されたが、環状部３２の形状はこれに限定されず、環状に形成されてもよい。この場合、連結部３０のサイズが小さくなり、ユーザは連結部３０を摘みにくくなるが、基体１０、２０のサイズが大きいため、ユーザは基体１０、２０を掴んで留め具１００を簡単に脱着することができる。
【００６６】
また、上記実施形態では、各接合面１０ａ、２０ａをまたぐように連結部３０が基体１０、２０に取り付けられたが、連結部３０の位置はこれに限定されない。たとえば、固定部３３は各接合面１０ａ、２０ａに垂直に基体１０、２０に挿入され、基体１０、２０の中心を通り各接合面１０ａ、２０ａと垂直な位置に連結部３０が固定される。
【００６７】
さらに、上記実施形態では、環状部３２および固定部３３により連結部３０が構成された。ただし、第１おおび第２基体１０、２０が金属で形成され、連結部３０が各基体１０、２０に一体成型されている場合には、環状部３２が各基体１０、２０に接合されているため、固定部３３がなくてもよい。
【００６８】
また、図８（ａ）に示す実施形態では、ネックレス４０およびブレスレット５０によりＹ字状のネックレスが形成されたが、組合せおよび形成されるものはこれに限定されない。たとえば、２つのネックレスを組み合わせて２連のネックレスを形成することもできる。
【００６９】
さらに、上記実施形態において、各接合面１０ａ、２０ａにシートを貼り付けることも可能である。この場合、突起１３および穴２３を除いて各接合面１０ａ、２０ａ全体または各磁石１２、２２の六角形状面を覆うシートが接着剤などで貼り付けられる。磁石１２、２２がシートで覆われることにより、各接合面１０ａ、２０ａの美観に優れる上、各磁石１２、２２が外れにくくなる。
【００７０】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００７１】
本発明の装身具用留め具は、軽量で、脱着が容易な装身具用留め具等として有用である。
【符号の説明】
【００７２】
１    ：第１本体
２    ：第２本体
１０  ：第１基体
１０ａ：第１接合面
１２  ：第１磁石
１３  ：突起（第１係合部）
１４ｂ：段差（第１係合部）
２０  ：第２基体
２０ａ：第２接合面
２２  ：第２磁石
２３  ：穴（第２係合部）
２４  ：溝（第２係合部）
２５ｂ：段差（第２係合部）
３０  ：第１連結部、第２連結部
１００：留め具
【図１】
2013102948.tif 000003
【図２】
2013102948.tif 000004
【図３】
2013102948.tif 000005
【図４】
2013102948.tif 000006
【図５】
2013102948.tif 000007
【図６】
2013102948.tif 000008
【図７】
2013102948.tif 000009
【図８】
2013102948.tif 000010